(57)【要約】【課題】ローカルフィードスルー（ゼロキャリア）による測定誤差の発生を抑制する。【解決手段】信号測定装置１は、ＲＦ端子から入力される被測定信号の周波数と第１ローカル信号源２２が出力するローカル信号の周波数との差に等しい周波数の信号を出力するミキサ１２と、アナログ信号を受けてデジタル信号に変換するＡ／Ｄ変換器３２と、Ａ／Ｄ変換器３２への入力をミキサ１２を経由した信号または被測定信号とするスイッチ４１、４９とを備える。しかも、ミキサ１２を経由した信号が与えられるＡ／Ｄ変換器３２と、被測定信号が与えられるＡ／Ｄ変換器３２とは共通のものである。【選択図】図４
2014074614.tif 000002
【特許請求の範囲】
【請求項１】
被測定信号の周波数とローカル信号の周波数との差に等しい周波数の信号を出力するミキサと、
アナログ信号を受けてデジタル信号に変換するＡ／Ｄ変換器と、
前記Ａ／Ｄ変換器への入力を、前記ミキサを経由した信号または前記被測定信号とするアナログ入力切替器と、
を備え、
前記ミキサを経由した信号が与えられる前記Ａ／Ｄ変換器と、前記被測定信号が与えられる前記Ａ／Ｄ変換器とは共通のものである、
信号測定装置。
【請求項２】
請求項１に記載の信号測定装置であって、
前記アナログ入力切替器が、前記Ａ／Ｄ変換器への入力を前記被測定信号とする場合、
前記被測定信号を、前記ミキサには与えないで、前記Ａ／Ｄ変換器に与える、
信号測定装置。
【発明の詳細な説明】
【技術分野】
【０００１】
本発明は、スペクトラムアナライザに関する。
【背景技術】
【０００２】
従来より、複数のミキサを有するスペクトラムアナライザが知られている（例えば、特許文献１の図２を参照）。このようなスペクトラムアナライザにおいて、第１ミキサによりアップコンバートが行われる場合、ローカルフィードスルー（ゼロキャリア）が発生することがある。スペクトラムアナライザに入力されるＲＦ信号の周波数が0Hzに近いと、ＲＦ信号の周波数の測定に際し、ローカルフィードスルーによる測定誤差が無視できなくなる。
【先行技術文献】
【特許文献】
【０００３】
【特許文献１】特表２００８−５１９９６０号公報
【発明の概要】
【発明が解決しようとする課題】
【０００４】
そこで、本発明は、ローカルフィードスルー（ゼロキャリア）による測定誤差の発生を抑制することを課題とする。
【課題を解決するための手段】
【０００５】
本発明にかかる信号測定装置は、被測定信号の周波数とローカル信号の周波数との差に等しい周波数の信号を出力するミキサと、アナログ信号を受けてデジタル信号に変換するＡ／Ｄ変換器と、前記Ａ／Ｄ変換器への入力を、前記ミキサを経由した信号または前記被測定信号とするアナログ入力切替器と、を備え、前記ミキサを経由した信号が与えられる前記Ａ／Ｄ変換器と、前記被測定信号が与えられる前記Ａ／Ｄ変換器とは共通のものであるように構成される。
【０００６】
上記のように構成された信号測定装置によれば、ミキサが、被測定信号の周波数とローカル信号の周波数との差に等しい周波数の信号を出力する。Ａ／Ｄ変換器が、アナログ信号を受けてデジタル信号に変換する。アナログ入力切替器が、前記Ａ／Ｄ変換器への入力を、前記ミキサを経由した信号または前記被測定信号とする。なお、前記ミキサを経由した信号が与えられる前記Ａ／Ｄ変換器と、前記被測定信号が与えられる前記Ａ／Ｄ変換器とは共通のものである。
【０００７】
なお、本発明にかかる信号測定装置は、前記アナログ入力切替器が、前記Ａ／Ｄ変換器への入力を前記被測定信号とする場合、前記被測定信号を、前記ミキサには与えないで、前記Ａ／Ｄ変換器に与えるようにしてもよい。
【図面の簡単な説明】
【０００８】
【図１】本発明の実施形態にかかる信号測定装置１の構成を示す機能ブロック図である。
【図２】信号測定装置１の通常動作時の動作を示す図である。
【図３】信号測定装置１の通常動作時（ただし、第３ミキサ１６を不使用）の動作を示す図である。
【図４】信号測定装置１において、ＤＣ付近の周波数の被測定信号を測定する場合の動作を示す図である。
【図５】信号測定装置１において、第２中間周波数（例えば、420MHz）をやや下回る周波数の被測定信号を測定する場合の動作を示す図である。
【図６】信号測定装置１において、第２中間周波数（例えば、420MHz）をやや上回る周波数の被測定信号を測定する場合の動作を示す図である。
【図７】信号測定装置１において、第２中間周波数（例えば、420MHz）をやや上回る周波数の被測定信号を測定する場合（ただし、第３ミキサ１６を不使用）の動作を示す図である。
【発明を実施するための形態】
【０００９】
以下、本発明の実施形態を図面を参照しながら説明する。
【００１０】
図１は、本発明の実施形態にかかる信号測定装置１の構成を示す機能ブロック図である。信号測定装置１は、例えば、スペクトラムアナライザである。なお、図２〜図７において、周波数の数値が記載されているが、これらの数値はあくまで一例に過ぎない。
【００１１】
信号測定装置１は、第１ミキサ１２、第２ミキサ１４、第３ミキサ１６、第１ローカル信号源２２、第２ローカル信号源２４、第３ローカル信号源２６、Ａ／Ｄ変換器３２、デジタルシグナルプロセッサ(DSP : Digital Signal Processor)３４、スイッチ４１、４２、４３、４４、４５、４６、４７、４８、４９、可変フィルタ５１、ローパスフィルタ５２、５６、バンドパスフィルタ５３、５４、５５、分周器６２を備える。
【００１２】
第１ミキサ（ミキサ）１２は、被測定信号と、周波数が可変の第１ローカル信号とを受ける。被測定信号は、ＲＦ端子から入力され、スイッチ４１、スイッチ４２、ローパスフィルタ５２を介して、第１ミキサ１２に与えられる。第１ローカル信号は、第１ローカル信号源２２が出力する信号であり、周波数が可変である。第１ローカル信号は、分周器６２（例えば、分周比N1が1）、スイッチ４３を介して、第１ミキサ１２に与えられる（図２および図３参照）。
【００１３】
第１ミキサ１２は、被測定信号と、周波数が可変の第１ローカル信号とを混合する。この混合により、第１ミキサ１２は、被測定信号の周波数と第１ローカル信号（ローカル信号）の周波数との差に等しい周波数の信号を出力する（図２および図３参照）。
【００１４】
第２ミキサ１４は、二つの入力を受けて混合し、二つの入力の周波数の差に等しい周波数の信号を出力する（図２、図３および図５参照）。
【００１５】
なお、第２ミキサ１４が受ける二つの入力は、スイッチ４１、４３、４４、４５、４６（ミキサ入力切替器）により、被測定信号および第１ローカル信号（図５参照）、または第１ミキサの出力および第２ローカル信号（図２および図３参照）とされる。ただし、第２ローカル信号は、第２ローカル信号源２４が出力する信号であり、周波数が一定である。
【００１６】
図５を参照して、第２ミキサ１４が受ける二つの入力を、被測定信号および第１ローカル信号とした場合、第２ミキサ１４は、被測定信号を、ＲＦ端子から、スイッチ４１、ローパスフィルタ５６、スイッチ４５を介して受ける。また、第２ミキサ１４は、第１ローカル信号を、第１ローカル信号源２２から、分周器６２（例えば、分周比N1が10）、スイッチ４３、４６を介して受ける。さらに、第２ミキサ１４の出力の周波数（例えば、420MHz）が、被測定信号の周波数（例えば、100〜270MHz）よりも大きい。
【００１７】
図２および図３を参照して、第２ミキサ１４が受ける二つの入力を、第１ミキサの出力および第２ローカル信号とした場合、第２ミキサ１４の出力の周波数（例えば、420MHzまたは20MHz）が、第１ミキサ１２の出力の周波数（例えば、3.9GHz）よりも小さい。
【００１８】
第３ミキサ１６は、入力（第１ミキサ１２の出力（図６参照）または第２ミキサ１４の出力（図２参照））を受け、第３ローカル信号と混合し、両者の周波数の差に等しい周波数の信号を出力する。ただし、第３ローカル信号は、第３ローカル信号源２６が出力する信号であり、周波数が一定である。
【００１９】
なお、第３ミキサ１６の入力は、スイッチ４４、４７、４８（受理入力切替器）により、第１ミキサ１２の出力（図６参照）、または第２ミキサ１４の出力（図２参照）とされる。また、Ａ／Ｄ変換器３２も入力を受けるが、この入力も、スイッチ４４、４７、４８、４９（受理入力切替器）により、第１ミキサ１２の出力（図７参照）、または第２ミキサ１４の出力（図３参照）とされる。
【００２０】
図２を参照して、第３ミキサ１６の入力を第２ミキサ１４の出力とした場合、第２ミキサ１４が、第１ミキサ１２の出力および第２ローカル信号を混合し、両者の周波数の差に等しい周波数の信号を出力する。また、第１ミキサ１２の出力の周波数（例えば、3.9GHz）が、被測定信号の周波数（例えば、9kHz〜3GHz）よりも大きい。
【００２１】
図３を参照して、Ａ／Ｄ変換器３２の入力を第２ミキサ１４の出力とした場合、第２ミキサ１４が、第１ミキサ１２の出力および第２ローカル信号を混合し、両者の周波数の差に等しい周波数の信号を出力する。また、第１ミキサ１２の出力の周波数（例えば、3.9GHz）が、被測定信号の周波数（例えば、9kHz〜3GHz）よりも大きい。
【００２２】
図６を参照して、第３ミキサ１６の入力を第１ミキサ１２の出力とした場合、第１ミキサ１２は、第１ローカル信号を、第１ローカル信号源２２から、分周器６２（例えば、分周比N1が5）、スイッチ４３を介して受ける。さらに、第１ミキサ１２の出力の周波数（例えば、420MHz）が、被測定信号の周波数（例えば、0.6〜0.96GHz）よりも小さい。
【００２３】
図７を参照して、Ａ／Ｄ変換器３２の入力を第１ミキサ１２の出力とした場合、第１ミキサ１２は、第１ローカル信号を、第１ローカル信号源２２から、分周器６２（例えば、分周比N1が5）、スイッチ４３を介して受ける。さらに、第１ミキサ１２の出力の周波数（例えば、20MHz）が、被測定信号の周波数（例えば、0.6〜0.96GHz）よりも小さい。
【００２４】
第１ローカル信号源２２は、周波数が可変の第１ローカル信号を出力する。第２ローカル信号源２４は、周波数が一定の第２ローカル信号を出力する。第３ローカル信号源２６は、周波数が一定の第３ローカル信号を出力する。
【００２５】
Ａ／Ｄ変換器３２は、アナログ信号を受けてデジタル信号に変換する。デジタルシグナルプロセッサ(DSP : Digital Signal Processor)３４は、Ａ／Ｄ変換器３２の出力するデジタル信号を受けて所定の処理を行う、周知のものである。例えば、デジタル信号の大きさなどを測定する。
【００２６】
Ａ／Ｄ変換器３２への入力は、スイッチ４１、４９（アナログ入力切替器）により、第１ミキサ１２を経由した信号（図２および図３参照）または被測定信号（図４参照）とされる。ただし、Ａ／Ｄ変換器３２への入力が被測定信号とされる場合、被測定信号の周波数は直流(DC)付近（0MHz付近）であり、Ａ／Ｄ変換器３２による処理が可能な程度の低い周波数であるものとする（例えば、図４を参照して、0〜40MHz）。
【００２７】
また、第１ミキサ１２を経由した信号が与えられるＡ／Ｄ変換器３２と、被測定信号が与えられるＡ／Ｄ変換器３２とは共通のものである。
【００２８】
さらに、スイッチ４１、４９（アナログ入力切替器）が、Ａ／Ｄ変換器３２への入力を被測定信号とする場合（図４参照）、被測定信号を、第１ミキサ１２には与えないで、Ａ／Ｄ変換器３２に与える。
【００２９】
スイッチ４１は、ＲＦ端子を、スイッチ４９（図４参照）、ローパスフィルタ５６（図５参照）、スイッチ４２（図２、図３参照）および可変フィルタ５１（図６、図７参照）のいずれかに接続する。
【００３０】
スイッチ４２は、スイッチ４１（図２、図３参照）または可変フィルタ５１（図６、図７参照）を、ローパスフィルタ５２に接続する。
【００３１】
スイッチ４３は、分周器６２を、第１ミキサ１２（図２、図３、図６、図７参照）またはスイッチ４６（図５参照）に接続する。
【００３２】
スイッチ４４は、第１ミキサ１２を、スイッチ４７（図６、図７参照）またはバンドパスフィルタ５３（図２、図３参照）に接続する。
【００３３】
スイッチ４５は、ローパスフィルタ５６（図５参照）またはバンドパスフィルタ５３（図２、図３参照）を、第２ミキサ１４に接続する。
【００３４】
スイッチ４６は、スイッチ４３（図５参照）または第２ローカル信号源２４（図２、図３参照）を、第２ミキサ１４に接続する。
【００３５】
スイッチ４７は、スイッチ４４（図６、図７参照）または第２ミキサ１４（図２、図３、図５参照）を、バンドパスフィルタ５４に接続する。
【００３６】
スイッチ４８は、バンドパスフィルタ５４を、スイッチ４９（図３、図７参照）または第３ミキサ１６（図２、図５、図６参照）に接続する。
【００３７】
スイッチ４９は、スイッチ４１（図４参照）、スイッチ４８（図３、図７参照）およびバンドパスフィルタ５５（図２、図５、図６参照）のいずれかを、Ａ／Ｄ変換器３２に接続する。
【００３８】
可変フィルタ５１は、バンドパスフィルタの一種であり、通過させる周波数の帯域を変えることができる。なお、可変フィルタ５１は、ダイナミック可変フィルタであっても、スタティック可変フィルタであってもよい。なお、可変フィルタ５１が通過させる周波数の帯域は、第１ミキサ１２をダウンコンバータとして使用する際（図６、図７参照）、イメージを除去することができるような帯域とする。
【００３９】
また、可変フィルタ５１にかえて、通過させる周波数の帯域を固定したスタティックフィルタ（被測定信号の一部帯域のみ通過させる）を用いてもよい。
【００４０】
ローパスフィルタ５２は、スイッチ４２から被測定信号を受け、低周波成分を通過させて、第１ミキサ１２に与える。ローパスフィルタ５６は、スイッチ４１から被測定信号を受け、低周波成分を通過させて、スイッチ４５に与える。
【００４１】
バンドパスフィルタ５３は、スイッチ４４から第１ミキサ１２の出力を受け、ある帯域（例えば、3.9GHz近傍）の周波数成分を通過させて、スイッチ４５に与える。バンドパスフィルタ５４は、スイッチ４７から第１ミキサ１２の出力または第２ミキサ１４の出力を受け、ある帯域（例えば、420MHz近傍）の周波数成分を通過させて、スイッチ４８に与える。バンドパスフィルタ５５は、第３ミキサ１６の出力を受け、ある帯域（例えば、20MHz近傍）の周波数成分を通過させて、スイッチ４９に与える。
【００４２】
分周器６２は、第１ローカル信号源２２から第１ローカル信号を受けて、スイッチ４３に与える。分周器６２の分周比は可変であり、分周比N1=1（分周しない）とすることもできるし（図２、図３参照）、分周比N1が１を超えるようにすることもできる（図５、図６、図７参照）。
【００４３】
次に、本発明の実施形態の動作を説明する。
【００４４】
（１）通常動作時（被測定信号の周波数が、例えば、9kHz〜3GHzの場合）
図２は、信号測定装置１の通常動作時の動作を示す図である。図２は、信号測定装置１を周知のスペクトラムアナライザとして使用する際の動作を示している。
【００４５】
被測定信号（例えば、周波数が9kHz〜3GHz）が、ＲＦ端子から、スイッチ４１、４２、ローパスフィルタ５２を介して、第１ミキサ１２に与えられる。また、第１ローカル信号源２２が第１ローカル信号（例えば、周波数が3.9〜6.9GHzで掃引される）を、分周器６２（例えば、分周比N1が1）、スイッチ４３を介して、第１ミキサ１２に与える。
【００４６】
第１ミキサ１２は、被測定信号と第１ローカル信号とを混合し、両者の周波数の差に等しい周波数の信号を出力する。この場合、第１ミキサ１２は、アップコンバータとして機能する（第１ミキサ１２の出力周波数が、被測定信号の周波数よりも大きい）。
【００４７】
第１ミキサ１２の出力は、スイッチ４４、バンドパスフィルタ５３、スイッチ４５を介して、第２ミキサ１４に与えられる（例えば、周波数が3.9GHz）。また、第２ローカル信号源２４が第２ローカル信号（例えば、周波数が3.48GHz）を、スイッチ４６を介して、第２ミキサ１４に与える。
【００４８】
第２ミキサ１４は、第１ミキサ１２の出力と第２ローカル信号とを混合し、両者の周波数の差に等しい周波数の信号を出力する（例えば、周波数が420MHz）。この場合、第２ミキサ１４は、ダウンコンバータとして機能する（第２ミキサ１４の出力周波数が、第１ミキサ１２の出力の周波数よりも小さい）。
【００４９】
第２ミキサ１４の出力は、スイッチ４７、バンドパスフィルタ５４、スイッチ４８を介して、第３ミキサ１６に与えられる。また、第３ローカル信号源２６が第３ローカル信号（例えば、周波数が400MHz）を、第３ミキサ１６に与える。
【００５０】
第３ミキサ１６は、第２ミキサ１４の出力と第３ローカル信号とを混合し、両者の周波数の差に等しい周波数の信号を出力する（例えば、周波数が20MHz）。この場合、第３ミキサ１６は、ダウンコンバータとして機能する（第３ミキサ１６の出力周波数が、第２ミキサ１４の出力の周波数よりも小さい）。
【００５１】
第３ミキサ１６の出力は、バンドパスフィルタ５５、スイッチ４９を介して、Ａ／Ｄ変換器３２に与えられる。Ａ／Ｄ変換器３２は、第３ミキサ１６の出力するアナログ信号を受けてデジタル信号に変換する。デジタルシグナルプロセッサ３４は、Ａ／Ｄ変換器３２の出力するデジタル信号を受けて、デジタル信号の大きさなどを測定する。これにより、被測定信号の周波数成分の大きさ等が得られる。
【００５２】
ただし、第２ミキサ１４の出力周波数が、Ａ／Ｄ変換器３２により直読できる程度に低いものであれば、第３ミキサ１６を使用しないことも可能である。図３は、信号測定装置１の通常動作時（ただし、第３ミキサ１６を不使用）の動作を示す図である。
【００５３】
図３において、第１ミキサ１２の出力が、スイッチ４４、バンドパスフィルタ５３、スイッチ４５を介して、第２ミキサ１４に与えられる点は、図２における動作と同じである。ただし、第２ローカル信号源２４が第２ミキサ１４に与える第２ローカル信号の周波数を変えて（例えば、周波数が3.88GHz）、第２ミキサ１４の出力周波数を低くする（例えば、周波数が20MHz）。
【００５４】
第２ミキサ１４の出力は、スイッチ４７、バンドパスフィルタ５４、スイッチ４８、４９を介して、Ａ／Ｄ変換器３２に与えられる。Ａ／Ｄ変換器３２は、第２ミキサ１４の出力するアナログ信号を受けてデジタル信号に変換する。デジタルシグナルプロセッサ３４は、Ａ／Ｄ変換器３２の出力するデジタル信号を受けて、デジタル信号の大きさなどを測定する。これにより、被測定信号の周波数成分の大きさ等が得られる。
【００５５】
（２）被測定信号の周波数が直流(DC)付近（例えば、0〜40MHz）の場合
図４は、信号測定装置１において、ＤＣ（0MHz）付近の周波数の被測定信号を測定する場合の動作を示す図である。
【００５６】
被測定信号（例えば、周波数が0〜40MHz）が、スイッチ４１、４９を介して、Ａ／Ｄ変換器３２に与えられる。Ａ／Ｄ変換器３２は、被測定信号（アナログ信号）を受けてデジタル信号に変換する。デジタルシグナルプロセッサ３４は、Ａ／Ｄ変換器３２の出力するデジタル信号を受けて、デジタル信号の大きさなどを測定する。これにより、被測定信号の周波数成分の大きさ等が得られる。
【００５７】
図２および図３に示すように、信号測定装置１を周知のスペクトラムアナライザとして使用した場合、被測定信号の周波数が0Hzに近いと、被測定信号の周波数の測定に際し、ローカルフィードスルーによる測定誤差が無視できなくなる。
【００５８】
しかし、図４に示すように、被測定信号を、第１ミキサ１２に与えないで、スイッチ４１、４９を介してＡ／Ｄ変換器３２に与えてしまえば、ローカルフィードスルー（ゼロキャリア）を無視できる。
【００５９】
（３）被測定信号の周波数（例えば、100〜270MHz）が、第２ミキサ１４の出力の周波数（例えば、420MHz）をやや下回る場合
図５は、信号測定装置１において、第２中間周波数（例えば、420MHz）をやや下回る周波数の被測定信号を測定する場合の動作を示す図である。
【００６０】
被測定信号（例えば、周波数が100〜270MHz）が、ＲＦ端子から、スイッチ４１、ローパスフィルタ５６、スイッチ４５を介して、第２ミキサ１４に与えられる。
【００６１】
また、第１ローカル信号源２２が第１ローカル信号（例えば、周波数が5.2〜6.9GHzで掃引される）を、分周器６２（例えば、分周比N1が10）、スイッチ４３、４６を介して、第２ミキサ１４に与える。第２ミキサ１４に与えられる第１ローカル信号の周波数は、例えば、0.52〜0.69GHzとなる。
【００６２】
第２ミキサ１４は、被測定信号と第１ローカル信号（ただし、分周されている）とを混合し、両者の周波数の差に等しい周波数の信号を出力する（例えば、周波数が420MHz）。この場合、第２ミキサ１４は、アップコンバータとして機能する（第２ミキサ１４の出力周波数が、被測定信号の周波数よりも大きい）。
【００６３】
第２ミキサ１４の出力は、スイッチ４７、バンドパスフィルタ５４、スイッチ４８を介して、第３ミキサ１６に与えられる。また、第３ローカル信号源２６が第３ローカル信号（例えば、周波数が400MHz）を、第３ミキサ１６に与える。
【００６４】
第３ミキサ１６は、第２ミキサ１４の出力と第３ローカル信号とを混合し、両者の周波数の差に等しい周波数の信号を出力する（例えば、周波数が20MHz）。この場合、第３ミキサ１６は、ダウンコンバータとして機能する（第３ミキサ１６の出力周波数が、第２ミキサ１４の出力の周波数よりも小さい）。
【００６５】
第３ミキサ１６の出力は、バンドパスフィルタ５５、スイッチ４９を介して、Ａ／Ｄ変換器３２に与えられる。Ａ／Ｄ変換器３２は、第３ミキサ１６の出力するアナログ信号を受けてデジタル信号に変換する。デジタルシグナルプロセッサ３４は、Ａ／Ｄ変換器３２の出力するデジタル信号を受けて、デジタル信号の大きさなどを測定する。これにより、被測定信号の周波数成分の大きさ等が得られる。
【００６６】
図５に示すように信号測定装置１を使用した場合、第１ミキサ１２を使用することなく、被測定信号を第２ミキサ１４に与える。この際、第１ローカル信号を、分周器６２（例えば、分周比N1が10）で分周してから第２ミキサ１４に与える。このため、被測定信号の測定の際のＣ／Ｎ比(Carrier to Noise Ratio)が、20×Log（N1）[dB]改善する。
【００６７】
なお、バンドパスフィルタ５４、５５が信号を通過させる通過帯域は、通常動作時（図２参照）と同じであってよい。ただし、バンドパスフィルタ５４、５５の通過帯域を可変とし、通常動作時とは通過帯域を変えてもよい。
【００６８】
（４）被測定信号の周波数（例えば、0.6〜0.96GHz）が、第２ミキサ１４の出力の周波数（例えば、420MHz）をやや上回る場合
図６は、信号測定装置１において、第２中間周波数（例えば、420MHz）をやや上回る周波数の被測定信号を測定する場合の動作を示す図である。
【００６９】
被測定信号（例えば、周波数が0.6〜0.96GHz）が、ＲＦ端子から、スイッチ４１、可変フィルタ５１、スイッチ４２を介して、第１ミキサ１２に与えられる。また、第１ローカル信号源２２が第１ローカル信号（例えば、周波数が5.1〜6.9GHzで掃引される）を、分周器６２（例えば、分周比N1が5）、スイッチ４３を介して、第１ミキサ１２に与える。第１ミキサ１２に与えられる第１ローカル信号の周波数は、例えば、1.02〜1.38GHzとなる。
【００７０】
第１ミキサ１２は、被測定信号と第１ローカル信号（ただし、分周されている）とを混合し、両者の周波数の差に等しい周波数（例えば、420MHz）の信号を出力する。この場合、第１ミキサ１２は、ダウンコンバータとして機能する（第１ミキサ１２の出力周波数が、被測定信号の周波数よりも小さい）。
【００７１】
第１ミキサ１２の出力は、スイッチ４４、４７、バンドパスフィルタ５４、スイッチ４８を介して、第３ミキサ１６に与えられる。また、第３ローカル信号源２６が第３ローカル信号（例えば、周波数が400MHz）を、第３ミキサ１６に与える。
【００７２】
第３ミキサ１６は、第１ミキサ１２の出力と第３ローカル信号とを混合し、両者の周波数の差に等しい周波数の信号を出力する（例えば、周波数が20MHz）。この場合、第３ミキサ１６は、ダウンコンバータとして機能する（第３ミキサ１６の出力周波数が、第１ミキサ１２の出力の周波数よりも小さい）。
【００７３】
第３ミキサ１６の出力は、バンドパスフィルタ５５、スイッチ４９を介して、Ａ／Ｄ変換器３２に与えられる。Ａ／Ｄ変換器３２は、第３ミキサ１６の出力するアナログ信号を受けてデジタル信号に変換する。デジタルシグナルプロセッサ３４は、Ａ／Ｄ変換器３２の出力するデジタル信号を受けて、デジタル信号の大きさなどを測定する。これにより、被測定信号の周波数成分の大きさ等が得られる。
【００７４】
図６に示すように信号測定装置１を使用した場合、第２ミキサ１４を使用することなく、第１ミキサ１２の出力を第３ミキサ１６に与える。この際、第１ローカル信号を、分周器６２（例えば、分周比N1が5）で分周してから第１ミキサ１２に与える。このため、被測定信号の測定の際のＣ／Ｎ比(Carrier to Noise Ratio)が、20×Log（N1）[dB]改善する。
【００７５】
なお、バンドパスフィルタ５４、５５が信号を通過させる通過帯域は、通常動作時（図２参照）と同じであってよい。ただし、バンドパスフィルタ５４、５５の通過帯域を可変とし、通常動作時とは通過帯域を変えてもよい。
【００７６】
ただし、第２ミキサ１４の出力周波数が、Ａ／Ｄ変換器３２により直読できる程度に低いものであれば、第３ミキサ１６を使用しないことも可能である。図７は、信号測定装置１において、第２中間周波数（例えば、420MHz）をやや上回る周波数の被測定信号を測定する場合（ただし、第３ミキサ１６を不使用）の動作を示す図である。
【００７７】
被測定信号（例えば、周波数が0.6〜0.96GHz）が、ＲＦ端子から、スイッチ４１、可変フィルタ５１、スイッチ４２を介して、第１ミキサ１２に与えられる。また、第１ローカル信号源２２が第１ローカル信号（例えば、周波数が3.1〜4.9GHzで掃引される）を、分周器６２（例えば、分周比N1が5）、スイッチ４３を介して、第１ミキサ１２に与える。第１ミキサ１２に与えられる第１ローカル信号の周波数は、例えば、0.62〜0.98GHzとなる。
【００７８】
第１ミキサ１２は、被測定信号と第１ローカル信号（ただし、分周されている）とを混合し、両者の周波数の差に等しい周波数（例えば、20MHz）の信号を出力する。この場合、第１ミキサ１２は、ダウンコンバータとして機能する（第１ミキサ１２の出力周波数が、被測定信号の周波数よりも小さい）。
【００７９】
第１ミキサ１２の出力は、スイッチ４４、４７、バンドパスフィルタ５４、スイッチ４８、４９を介して、Ａ／Ｄ変換器３２に与えられる。Ａ／Ｄ変換器３２は、第１ミキサ１２の出力するアナログ信号を受けてデジタル信号に変換する。デジタルシグナルプロセッサ３４は、Ａ／Ｄ変換器３２の出力するデジタル信号を受けて、デジタル信号の大きさなどを測定する。これにより、被測定信号の周波数成分の大きさ等が得られる。
【００８０】
なお、バンドパスフィルタ５４が信号を通過させる通過帯域は、通常動作時（図２参照）と同じであってよい。ただし、バンドパスフィルタ５４の通過帯域を可変とし、通常動作時とは通過帯域を変えてもよい。
【符号の説明】
【００８１】
１  信号測定装置（スペクトラムアナライザ）
１２  第１ミキサ
１４  第２ミキサ
１６  第３ミキサ
２２  第１ローカル信号源
２４  第２ローカル信号源
２６  第３ローカル信号源
３２  Ａ／Ｄ変換器
３４  デジタルシグナルプロセッサ
４１、４２、４３、４４、４５、４６、４７、４８、４９  スイッチ
５１  可変フィルタ
５２、５６  ローパスフィルタ
５３、５４、５５  バンドパスフィルタ
６２  分周器
スイッチ４１、４３、４４、４５、４６  ミキサ入力切替器
スイッチ４１、４９  アナログ入力切替器
スイッチ４４、４７、４８  受理入力切替器
【図１】
2014074614.tif 000003
【図２】
2014074614.tif 000004
【図３】
2014074614.tif 000005
【図４】
2014074614.tif 000006
【図５】
2014074614.tif 000007
【図６】
2014074614.tif 000008
【図７】
2014074614.tif 000009